(57)【要約】  瘻孔の周囲で皮膚に当てられるベース部へのガストロストミーチューブ(15)の取付け。該ベース部は、該チューブを該ベース部に装着するための連結部材(22)を備え、下記を特徴とする：該連結部材は雄ねじ(23)を備え、該チューブ及び該連結部材は、必要な長さに切断された該チューブを該連結部材の周囲に力を加えて係合させ回転させることにより、該連結部材の雄ねじがチューブ壁面上に自身のねじ山形状を刻印することができるように選択され、それにより対応するラセン状の線が形成されて、チューブと連結部材との間の引き抜きに対する相当の抵抗が確保される。
2010508872.tif 000002
【特許請求の範囲】
【請求項１】
瘻孔の周囲で皮膚に当てられるベース部(１)に対する、必要な長さに切断されたガストロストミーチューブ(１５)の取付けであって、該ベース部は、該チューブを該ベース部に装着するための連結部材(２２)を備えるものであって、かつ下記を特徴とする取付け：
該連結部材は雄ねじ(２３)を備え、該チューブ及び該連結部材は、必要な長さに切断された該チューブを該連結部材の周囲に力を加えて係合させ回転させることにより、該連結部材の雄ねじがチューブ壁面上に自身のねじ山形状を刻印することができるように選択され、それにより対応するラセン状の線が形成されて、チューブと連結部材との間の引き抜きに対する相当の抵抗が確保される。
【請求項２】
前記チューブが合成樹脂製である、請求項１に記載の取付け。
【請求項３】
前記連結部材(２２)が金属製である、請求項１又は２に記載の取付け。
【請求項４】
ベース部の連結部材(２２)がベース部に埋設されたインサートの一部である、請求項１又は２に記載の取付け。
【請求項５】
前記チューブを前記連結部材にねじ込む前に連結部材のねじ山に対してチューブを締付けるためにチューブ周囲に挿入された弾性ワッシャー(２７)を備える、請求項１〜４のいずれかに記載の取付け。
【請求項６】
瘻孔周囲で皮膚に当てられる合成樹脂製のベース部(１)、ここで該ベース部はベース部を貫通する通過チャンバー(４)を画成している；前記チャンバー(４)の上部で前記ベース部に固定されたキャップ(５)、ここで該キャップは該チャンバーと連通する開口通路(１１)を画成している；該キャップを閉鎖するカバー(１２)、及び必要な長さに切断され、該ベース部に固定されたガストロストミーチューブ(１５)を備えたガストロストミーボタンであって、
前記ベース部がベース部の下側に突出している、雄ねじ付きの連結部材(２２)を形成しているインサートを備え、この連結部材とチューブの直径及び材質は、チューブを、力を加えて連結部材(２２)の周りで廻し込むことによって該連結部材に係合させることができるように選択され、かつ該連結部材のねじ山が該チューブの壁面にねじ山形状を刻印し、それによって該チューブ壁面の内面に対応するねじ形状が形成されることを特徴とする、ガストロストミーボタン。
【請求項７】
前記インサートが前記ベース部内に埋設されたディスク(１７)を含み、連結部材(２２)は該ディスクの片面から突出している、請求項６に記載のボタン。
【請求項８】
前記インサートの該ディスクが、ベース部(１)上のキャップ(5)の取付け用タブ(６,７)を通すための穴(１８,１９)を備える、請求項７に記載のボタン。
【請求項９】
前記インサートがベース部(１)のチャンバー(４)内にバルブ(１４)を収容するために該ディスクの中心に形成されたハブ(２０)を備える、請求項６〜８のいずれかに記載のボタン。
【請求項１０】
前記チューブを連結部材のねじ山に締付けるために該チューブに挿入された弾性ワッシャー(２７)を備える、請求項６〜９のいずれかに記載のボタン。
【請求項１１】
前記インサートが金属製であって、前記チューブ(１５)が合成樹脂製である、請求項６〜１０のいずれかに記載のボタン。
【発明の詳細な説明】
【技術分野】
【０００１】
本発明は、ガストロストミー（胃瘻）チューブをベース部に装着するための取付けとガストロストミーボタンとに関する。
【背景技術】
【０００２】
ガストロストミーチューブは、皮膚及び腹壁を貫通して胃腔内に開口している通路（瘻孔）内に挿入されるように設計されている。
このチューブは瘻孔周囲の皮膚にあてがわれるベース部（台座）に通常は固定され、該ベース部は本チューブが連通していなければならない通過チャンバーを画成している。
【０００３】
本発明は、ベース部へのガストロストミーチューブの取付けに関する。
このような取付けは下記の条件を満たさなければならない：
・チューブの長さを瘻孔の長さに合わせて調節可能、
・サイズがコンパクト、
・ベース部、チューブ及び瘻孔の間で十分な弾力性を与える、
・取り外し可能。
【０００４】
例えば、刊行物米国特許第４,８６３,４３８号及び米国特許第５,３３６,２０３号に提案されているように、長さの異なるチューブのコレクションから適切なチューブを選択することからなる解決策が知られている。この種の解決策は、特にベース部に装着した取付けの気密性を確保するようにチューブの近位端を造形することが可能である。しかし、長さの異なる多数のチューブのコレクションが必要である上、瘻孔の長さに対してチューブの長さをほぼ適合させることしか可能ではない。
【０００５】
刊行物米国特許第４,９４４,７３２号に提案されているように、チューブをその長さを適合させるのに必要な長さに切断するという解決策も公知である。この種の解決策はチューブの長さの精密な調整が可能であるが、チューブをベース部に密に固定するために高性能の解決策が必要となる。
【０００６】
刊行物米国特許第４,９４４,７３２号に記載されている別の解決策は、ベース部の円筒状連結部材にチューブの先端を係合させて接着することからなる。
この解決策はチューブの取り外しを不可能にし、チューブと連結部材との間の十分な引っ張り抵抗を保証しない。
【先行技術文献】
【特許文献】
【０００７】
【特許文献１】米国特許第４,８６３,４３８号
【特許文献２】米国特許第５,３３６,２０３号
【特許文献３】米国特許第４,９４４,７３２号
【発明の概要】
【０００８】
本発明は、上述した欠点を回避しながら、チューブを瘻孔の長さに合わせて必要に応じて切断することを可能にすることを目的とする。
これは、本発明に従って、ベース部に雄ねじを設けた管状連結部材を装着し、チューブと連結部材とを、必要な長さに切断されたチューブを連結部材に押し込んで係合させてから回転させることにより、連結部材の雄ねじがチューブ壁面上に自身のねじ形状を刻印して対応するラセン状のラインを形成することができるよう選択することによって達成される。
【０００９】
チューブ及び連結部材の材質並びにチューブ及び連結部材の横断面寸法はしかるべく適切に選択される。
本取付けはチューブと連結部材との間の引張りに対するかなりの抵抗を保証する。
【００１０】
患者がベース部を強く引っ張ろうとした場合、平滑な連結部材に嵌め込んだ単純なチューブ型取付け具は、滑りが起こるので十分ではない。これに対し、本発明のねじ／逆ねじは、滑りを起こさずにこの引張りに機械的に耐える。さらに、チューブを胃に挿入する時、ベース部を回転させるとチューブも同じ方向に回転するので、ねじ戻し（ねじの緩め）は不可能になる。
【００１１】
好適態様において、本連結部材は、ベース部に組み込まれた金属インサートの一部である。
有利には、本連結部材は下記の三重の機能を実施するように設計される：
・チューブの装着、
・バルブ（弁）の収容、
・キャップの保持。
【００１２】
本装置は、インサートのねじつき連結部材の周囲にチューブを「ねじ込む」前に、長さが調整されたチューブ上に弾性プラスチック材料製のワッシャーを予め嵌めることにより完成させてもよい。
【００１３】
チューブを連結部材にねじ込む時に、該ワッシャーがベース部の底面に押しつけられる。このワッシャーは、チューブを連結部材のねじ山に対して締めつけて、ベース部に装着されたチューブの引張り抵抗を高める。
【図面の簡単な説明】
【００１４】
【図１】ガストロストミーボタンの略式分解斜視図。
【図２】組立て後の図１に示したボタンの軸方向断面図。
【図３】ベース部に接続された連結部材を備える、図２と同様の図。
【図４】キャップが取り外されているベース部の軸方向断面図。
【図５】図５Ａは本発明に係るガストロストミーボタンを形成するためにガストロストミーチューブへのベース部の装着器具の斜視図；図５Ｂは図５Ａの器具を備えたガストロストミーボタンの取付けの斜視図。
【図６】本発明に係るガストロストミーボタンの固定器具の斜視図。
【図７】図７Ａ及び７Ｂは、本発明に係るガストロストミーボタンのバルブ交換器具の斜視図。
【図８】図８Ａ〜８Ｃは、本発明に係るガストロストミーボタンのバルブ交換工程の斜視図。
【図９】図９Ａは、本発明に係るガストロストミーボタンに接続することができる湾曲連結部材を備えたフィード延長部の斜視図；図９Ｂは、図９Ａのフィード延長部のための直線連結部材の斜視図。
【発明を実施するための形態】
【００１５】
１例として、添付図面に示されている図を参照しながら本発明に係る実施態様について以下に説明する。
図１には、下記部材からなるガストロストミー「ボタン」が示されている：
・瘻孔周囲の皮膚に当てられる合成樹脂製のベース部１、本ベース部は２つの装着用支持部２、３を備え、瘻孔の軸方向にベース部を貫通する通過チャンバー４を画成している；
・チャンバー４の上部でベース部に固定されるキャップ５、この固定は、キャップの底面に設けた２つのタブ６、７を、ベース部を貫通して形成された対応する２つの通路８、９に挿入し、該タブをベース部の下側に横方向に挿入されるクリップ１０によってベース支持部２、３の間に留めつけることにより行われる。本キャップはチャンバーと連通する開口通路１１を画成；
・ベース部にタブ１３によって取付けられ、キャップ通路を閉鎖するようにキャップ上に折り返されるカバー１２；
・ベース部のチャンバー４に挿入されるバルブ１４；
・必要な長さに切断され、前記チャンバーの軸内でベース部に装着された合成樹脂製のチューブ１５、このチューブは瘻孔を通過して固定要素１６により胃孔内に保持されるためのものである。
【００１６】
このように画成された前記ボタンは、従来技術に係るボタンに対して特定の利点を発揮するが、本発明を適用することができるボタンの制限しない例を表してはいない。
実際、本発明はまずベース部１へのチューブ１５の取付けに関する。
【００１７】
本発明によると（図２）、ベース部１は、ベース部内に埋設されたディスク１７を形成するように賦形された金属製インサートを備え、該ディスクにはカバーのタブを通すための２つの側方穴１８，１９が設けられ、該ディスクの中心にはチャンバー４内に収容されるようにハブ２０が形成され、このハブは、バルブ１４を部分的に受け入れるのに適した中心内腔２１とハブの軸に沿って配置された管状連結部材２２とを画成し、該連結部材は該チャンバーと連通し、ベース部の下側に突出している。
【００１８】
金属製連結部材２２は、山が鋭くとがった細いねじ山２３からなる雄ねじを備える。
チューブの近位端及び連結部材の材質及び直径は、チューブ１５を連結部材の周囲に力で押し込んで係合させ、廻し込むことによって連結部材のねじ山２３がチューブ壁面の内面側に自身のねじ山形状を刻印することができるように選択される。
【００１９】
ベース部１へのチューブ１５の取付けは弾性ワッシャー２７によって補強される。
図３は、図２に対応する図であるが、キャップの通路１１に湾曲連結部材２４が挿入されていて、これが該通路及びベース部のチャンバーをフィードカテーテル２５と連結している。
【００２０】
この連結部材２４は、バルブ１４と力を加えて側面締まり嵌めする連結部材２６を備える。
ベース部１の別の態様によると、キャップ５はチャンバー４の上部でベース部にねじ込みにより装着される。
【００２１】
図５Ａ及び５Ｂを参照して、ベース部１をガストロストミーチューブ１５に装着するための器具１００を次に説明する。本器具１００は、２つのハンドル部１０１、１０２を備えたクリップの形態をとり、これらのハンドルは弾性変形可能な「Ｕ」型部材１０３を形成している２つのアームの端部を形成している。「Ｕ」型部材の各アームの中央部に、本器具はガストロストミーチューブ１５との接続手段１０４を備える。この接続手段１０４は実質的に直線のみぞ１０５からなり、これは「Ｕ」型部材１０３のアームに実質的に垂直であって、このみぞは「Ｕ」型部材１０３の内側に向かって開いている。みぞ１０５はガストロストミーチューブ１５を受け入れるのに適している。
【００２２】
ベース部１をチューブ１５に装着する際には、該チューブの固定要素１６とは反対側の端部を接続手段１０４内に挿入してクランプ締付けする。チューブはみぞ１０５の中に受け入れられる。次いでベース部を上述したようにチューブ内にねじ込む。装着器具１００はプラスチック製であり、クランプ締付けの可能性を残しながら、チューブの変形を避けることができる。こうして、クランプ締付けの最後にベース部がチューブ上で停止位置に達すると、締付け動作をさらに続けるなら、このボタンアセンブリが回転すると共に、チューブ１５も装着器具１５内で回転するようになる。チューブ内に起こるねじ山の破壊は避けられ、このボタンを構成するアセンブリの満足できる長期耐久性が確保される。
【００２３】
例えば数カ月の使用後、ボタンを交換しようとする場合、図６に示されるような固定器具２００をまず初めに使用する。この器具２００は円形形状のプレート２０１からなり、プレートの中心から半径方向外周に向かって実質的に半径方向に設けた先細の（テーパーつき）「Ｕ」型形状の開口２０２を備える。この開口はガストロストミーチューブを摺動させながら受け入れるのに適している。ハンドル２０３が開口２０２の直径方向延長部にプレート面から突出して設けられており、これは中心と開口２０２に向かって開いているキャビティ２０５を備える。このキャビティはベース部の支持部の一方を摺動させながら受け入れるのに適している。本固定器具はまた、開口２０２の両側で互いに向かい合って延設された弾性変形可能な２つのウイング部２０４を備える。これらのウイング部は、互いに近づくように動かして変形させるとベース部を本器具内の所定位置に保持することを可能にすると同時に、他方では、該ボタンの使用中の回転や皮膚からの外れ又は押し込み移動を阻止する。
【００２４】
図７Ａ及び７Ｂを参照して、バルブ交換器具３００について次に説明する。本器具は、ほぼ円筒形の回転体形状のものである。これは、銛（もり）形状の第１端部３０１を備える。これはまた、キャップ５の外形形状に実質的に相補的なレリーフ（浮き彫り）形状部３０３、３０４を備えた第２の端部３０３を備える。このレリーフ形状部は中空形状に設けられた２つの直径方向に反対向きのフィン３０４を含んでいる。これらの両端の間に、本バルブ交換器具はハンドル３０２を有する。
【００２５】
図８Ａ〜８Ｃを参照すると、固定器具２００を皮膚とベース部１との間に挿入し、バルブ交換器具３００をその端部３０３によりキャップ５に連結する。その後、フィン３０４をバヨネット（差し込み）型の開口通路１１の周囲に設けた相補形状と係合させることによりキャップのねじを緩める。それによりキャップ５を取り外すことができる。その後、図８Ｂに示すように、使い古されたバルブ１４をバルブ交換器具の他端３０１で突き刺して、取り外す。キャップ５を端部３０３の中空形状内で入れ換え、新しいバルブ１４をキャップ５の中に挿入し、このアセンブリを、バルブ交換器具３００を使って再びベース部内に固定する。
【００２６】
図９Ａ及び９Ｂを参照して、本発明に係るガストロストミーボタンに装着するのに適したフィード延長部材４００、５００に関して次に説明する。この延長部材は可撓性チューブ４０１、５０１からなる。その一端には連結部材４０２、５０２を備える。この連結部材は屈曲していても（４０２）、又はまっすぐ（５０２）でもよい。いずれの場合も、連結部材は、この連結部材がガストロストミーボタンに開口通路１１を経て接続されている時にはバルブ１４を開くように該バルブに対して動作するのに適した円筒形回転体の端部４０３を備えている。この端部の頂部には、開口通路１１の形状と相補的な円筒回転体形状の部分４０５が設けられている。２つの直径方向反対向きのフィン４０４が連結部材４０２から突き出ていて、これらは開口通路１１の周囲に設けられた相補的な差し込みピン型形状と共働するのに適している。それにより、連結部材をベース部にロックしながら差し込みピン連結を達成することが可能となる。
【００２７】
本発明を上述した態様に制限されるものではない。本発明は特に、ベース部へのキャップの固定やボタンの他の態様詳細に関係なく任意の種類のベース部に適用可能である。
【図１】
2010508872.tif 000003
【図２】
2010508872.tif 000004
【図３】
2010508872.tif 000005
【図４】
2010508872.tif 000006
【図５Ａ】
2010508872.tif 000007
【図５Ｂ】
2010508872.tif 000008
【図６】
2010508872.tif 000009
【図７Ａ】
2010508872.tif 000010
【図７Ｂ】
2010508872.tif 000011
【図８Ａ】
2010508872.tif 000012
【図８Ｂ】
2010508872.tif 000013
【図８Ｃ】
2010508872.tif 000014
【図９Ａ】
2010508872.tif 000015
【図９Ｂ】
2010508872.tif 000016
【国際調査報告】
2010508872.tif 000017
2010508872.tif 000018
2010508872.tif 000019
2010508872.tif 000020
2010508872.tif 000021
2010508872.tif 000022